(57)【要約】【課題】一般的な枕では、通気性に欠け頭部に熱がこもる様な材質、構造のものが多く、また柔らかな材質ものが多く、寝返り動作がスムーズに行われにくい。【解決手段】就寝中は、上向き、横向きと何度も寝返りを打つことにより、生活の中での骨格の歪みを本能的に矯正しているため、スムーズに寝返りを打つことができるようになることで就寝中の体にかかる負担を軽減し、体の不調を改善する。また枕が顔の向く方向に傾斜し支点となる弓状の凸部を有することで上下にも多少動くことで様々な形状の頭にフィットし、シーソーのように左右に倒れることで上向き、横向き、どちらの寝姿勢でも頭部が安定しリラックスして寝ることが出来る枕を提供する。【選択図】図１
2019170989.tif 000002
【特許請求の範囲】
【請求項１】
仰向けまたは横向きの寝姿勢に対応したパイプまたは棒または板状の素材の何れかで枕の下部を形成し、前記枕の下部の左右対面に側面を立てて枕の土台を形成し、前記枕の土台上部には紐または網を形成し、前記枕の下部底側に縦方向または横方向の何れかの弓状の凸部を一個所または複数個所の何れかで形成されることを特徴とする枕。
【請求項２】
前記弓状の凸部は略半円柱形状で形成されていることを特徴とする請求項１に記載の枕。
【請求項３】
前記弓状の凸部は発泡スチロール、木、金属または合成樹脂の何れかで放物面を形成していることを特徴とする請求項１ないし請求項２の何れかの１項に記載の枕。
【請求項４】
前記弓状の凸部は木、金属、合成樹脂の何れかで形成されていることを特徴とする請求項１ないし請求項３の何れか１項に記載の枕。
【発明の詳細な説明】
【技術分野】
【０００１】本考案は頭部の通気性に優れ、頭部の熱がこもらない状態になり、枕が左右に傾斜することによって上向き、横向きでの寝姿勢が安定し、体がリラックス状態で寝ることができる枕である。
【背景技術】
【０００２】従来の枕は通気性が悪く、頭に熱がこもり、熟睡できず寝返りが行いにくく、無理な態勢で寝ているため、首や肩周辺の筋肉や筋膜が緊張状態となり血行不良をおこし、首こり、肩こりを引き起こすと推測される。本発明は、枕と頭部の接地面が紐状、又は網目状になっており、内部が空洞のため熱がこもらない構造になっている。
また、寝姿勢は、横向きになった時に頭部の安定が保持され、首回りがリラックスに保たれ、体に余分な負担が強いられることが無くなり、それを解決するために発明されたのがこの枕が左右に傾斜する枕である。
【先行技術文献】
【０００３】
【特許文献１】特開２００１−１７８６０５（Ｐ２００１−１７８６０５Ａ）
【特許文献２】特開平１０−２１５９９２
【発明の概要】
【発明が解決しようとする課題】
【０００４】本発明が解決しようとする課題は、一般的な枕は通気性に欠け、頭部に熱がこもる様な材質、構造のものが多く、また枕に頭が沈んでしまうものが多く、自分に合わないまま使用している方も多いと思われる。このような枕は、寝返りが自由に行うことが出来ず、首コリや肩コリを誘発し、筋緊張を強いられ血行不良にもなり体全体への負担も増すものと思われる。本発明は通気性が良く頭に熱がこもらず、また枕がシーソーのように顔の向く方向に傾斜するため寝返りがスムーズにできることで首、肩への負担が軽減される。
【課題を解決するための手段】
【０００５】本発明は仰向けまたは横向きの寝姿勢に対応したパイプまたは棒と紐または網からなる枕で、下部底側に弓状の支点となる凸部を形成し枕が前後左右に倒れることでどのような形状の頭にもフィットし、横向きの寝姿勢では枕が顔の向く方向に傾斜することを特徴とする枕。
【発明の効果】
【０００６】本発明は枕上部の頭の接地面を紐状、又は網目状にすることで、枕内部が空洞になり通気性が良くなり、頭部の余分な熱が放熱される。また枕本体の下部底側に枕が左右に自由に倒れるよう、支点となる弓状の凸部を設け、横向き時には枕が左右に倒れることで、寝返りがスムーズにできるようになり、支点の凸部に少しの幅を持たせることにより上向きでは平行になり、また支点が弓状のため上下にも少し傾く形状になっており、様々な頭の形状の方にも質の良い睡眠環境を得ることができる。また枕の内部に空間があり、通気性が良いことを特徴とする枕で、好みにより炭、活性炭、芳香剤、消臭剤、保冷剤、を入れることも可能となり、好みによって枕にタオルを敷くことでより一層の清潔感とフィット感が生まれる。
【図面の簡単な説明】
【０００７】
【図１】  本発明の枕下部底側に弓状の凸部を縦方向に形成した枕の全体図である。
【図２】  本発明の枕下部底側に弓状の凸部を縦方向に形成した骨組みの図である。
【図３】  本発明の上部を紐で形成した図である。
【図４】  本発明の上部を網で形成した図である。
【図５】  本発明の枕、下方からの図である。
【図６】  本発明の枕下部底側の弓状の凸部が縦方向の枕を使用し、上向きに寝た図である。
【図７】  本発明の枕下部底側の弓状の凸部が縦方向の枕を使用し横向きに寝た図である。
【図８】  本発明の枕下部底側の弓状の凸部が縦方向の枕を使用した横からの図である。
【図９】  本発明の枕下部底側の弓状の凸部が横方向の枕の下方からの図である。
【図１０】  本発明の枕下部底側の弓状の凸部が横方向の枕を使用し上向きに寝た図である。
【図１１】  本発明の枕下部底側の弓状の凸部が横方向の枕を使用し横向きに寝た図である。
【図１２】  本発明の枕を平板で形成し、上部を紐で形成した図である。
【図１３】  本発明の枕を平板で形成し、上部を網で形成した図である。
【図１４】  本発明の枕の下部底側の凸部が放物面で上から見た使用図である。
【図１５】  本発明の枕の下部底側の凸部が放物面で横向きでの使用図である。
【図１６】  本発明の枕の下部底側の凸部が放物面で横から見た使用図である。
【発明を実施するための形態】
【０００８】図１は本発明の実施形態である枕の構成が示されている。側面角丸四角形部１、枕の下部横棒２、枕下部支点となる弓状の凸部３の部材は金属のパイプまたは棒で形成したもので、枕の側面となる１は角丸四角形で示されているが形状の限定はなく、ひょうたん形や波形や変形のものでもよい。また４は枕上部の頭部を乗せる部分で紐を張った状態を示したもので、紐の張り方で枕の高さや硬さが調節できるものとする。
【０００９】図１に示された枕の下部の部材２は数の限定はなく棒状のものを複数でも板状のもので構成してもよい、その両端に側面となる１を対抗に立てて固定し、上部の頭部を乗せる部分に紐４または図４に示す通り網５を張った構成にしてある。
【００１０】図２は本発明の紐４または網５の部分を除いた状態で、枕の骨組みがパイプまたは丸棒で出来ているため体に当たっても違和感なく使用できるものである。
【００１１】図３は本発明の上部、頭の乗る部分の紐４は太さの限定はなく紐が細いほうがソフトになり太くなるにつれて硬くなる傾向にあるので、使用者の好みの太さに張り替えることが容易にできるものである。
【００１２】また図４は本発明の枕の上部、頭の乗る部分を網５を使用した時の図である。紐を使用した時よりソフトになるので女性に適していると思われる。
【００１３】また紐の張る方向は枕に対して縦方向に張ることで頭部を更に安定させることができる。また紐の張り方を縦横に交差させることで通気性が更によくなり、紐を斜めに交差させて張っても同様の効果を得ることができる。
【００１４】図５は、枕の下からの図である。枕下部底側の弓状の突起３は、枕を左右に傾けるための支点となる凸部３で弓状に形成し、横向きに寝た時に顔の向く方向に傾斜するため寝返りがスムーズにできる。
【００１５】また弓状の凸部３は左右に傾くと同時に上下にも傾きどのような頭の形状の方にもフィットするようになっている。
【００１６】通常上向きで寝るときは図６、図１０、図１４のような状態になり枕の中心に頭が位置し枕も水平に保つことができ、頭は沈み過ぎず最適な位置に頭を置くことができ、弓状の凸部３を中心に寄せて支点を形成すれば枕を水平に保つことは出来なくなり常に左右どちらかに倒れた状態になり横向き専用枕としても使え、いびきの軽減にも繋がる。
【００１７】図７、図１１、図１５に示される通り、寝返りや横向きに寝た時には枕が顔の向く方向に傾斜するためスムーズに寝返りができ、横向きで寝ていても頭は安定し首、肩に負担が掛からないので肩こりや寝苦しさ等が改善される。
【００１８】また人それぞれ頭の形や首の状態が違うので、枕の下部底側の凸部３を弓状にすることでわずかに上下にも傾斜し（図８、図１６）自分に合った位置に頭が自然に安定するようになる。
【００１９】更に、本発明の枕はベットや布団が柔らかすぎる場合には、ベットや布団側に硬質の補助板６を配置してもよい。この補助板６は枕本体のベットや布団の柔らかさによる沈みを解消でき、スムーズな寝返りができる利点がある。
【００２０】図９、図１０、図１１は枕下部の弓状の凸部７を横方向に形成した時の図である。
枕の下部の支点となる弓状の凸部７を横方向に形成しても本発明と同じ効果を得ることが出来る。
【００２１】図９、図１０、図１１の枕の下部、横方向の弓状の凸部７はパイプまたは棒を複数本設置することも可能で、また厚めの板状の部材で半円柱形状か蒲鉾型に形成するか、または半楕円柱（楕円柱を縦に切った形）に形成してもよい。
【００２２】図１２、図１３は枕を平板の木または金属または合成樹脂の何れかで形成した場合で上部は、図１２は紐に、図１３は網にした時の図である。
【００２３】図１４、図１５、図１６に示される通り、枕の下部の支点となる凸部１１を発泡スチロール、木、金属または合成樹脂など使って放物面にすることでも本発明と同じ効果を得ることが出来る。
【００２４】枕にタオルなど巻いて頭部の当たる面をソフトにし、洗濯するようにすればダニなどの発生を抑えることもできるので衛生的である。
【符号の説明】
【００２５】１  枕の高さとなる角丸四角形部
２  枕の下部、枕の幅を形成する横材
３  枕の下部底側、縦方向の弓状の凸部
４  枕上部、頭部を乗せる紐
５  枕上部、頭部を乗せる網
６  補助板
７  枕下部底側、横方向の弓状の凸部
８  板状の部材の枕の側面
９  板状の部材の枕の下部
１０  板状の部材の枕の下部底側の半円柱の凸部
１１  枕下部底側の放物面の凸部
【図１】
2019170989.tif 000003
【図２】
2019170989.tif 000004
【図３】
2019170989.tif 000005
【図４】
2019170989.tif 000006
【図５】
2019170989.tif 000007
【図６】
2019170989.tif 000008
【図７】
2019170989.tif 000009
【図８】
2019170989.tif 000010
【図９】
2019170989.tif 000011
【図１０】
2019170989.tif 000012
【図１１】
2019170989.tif 000013
【図１２】
2019170989.tif 000014
【図１３】
2019170989.tif 000015
【図１４】
2019170989.tif 000016
【図１５】
2019170989.tif 000017
【図１６】
2019170989.tif 000018
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
仰向けまたは横向きの寝姿勢に対応したパイプまたは棒または板状の素材の何れかで枕下部を形成し、前記枕下部に枕の高さを形成する為の側面を角丸四角形またはひょうたん型で左右の対向に形成して土台とし、前記土台の左右上部に紐または網を張って頭部を乗せる枕上部を形成し、前記枕上部と前記枕下部との間に空洞を設け、前記枕下部の底側縦方向にパイプまたは板状の部材で形成された弓状の凸部を中央に寄せて一個所または複数個所形成し、前記弓状の凸部の少なくとも一つを支点とし枕がシーソーのように顔の向く方向に左右に傾斜することと同時に上下にも傾き縦方向にもシーソーのような動きをすることを特徴とする枕。
【請求項２】
前記弓状の凸部は略半円柱形状で形成されていることを特徴とする請求項１に記載の枕。
【請求項３】
前記弓状の凸部は木、金属、合成樹脂の何れかで形成されていることを特徴とする請求項１ないし請求項２の何れか１項に記載の枕。
【請求項４】
仰向けまたは横向きの寝姿勢に対応したパイプまたは棒または板状の素材の何れかで枕下部を形成し、前記枕下部に枕の高さを形成する為の側面を角丸四角形またはひょうたん型で左右の対向に形成して土台とし、前記土台の左右上部に紐または網を張って頭部を乗せる枕上部を形成し、前記枕上部と前記枕下部との間に空洞を設け、前記枕の下部底側の中央に発泡スチロール、木、金属または合成樹脂の何れかで放物面の凸部を形成し、前記放物面の凸部を支点とし枕がシーソーのように顔の向く方向に左右に傾斜することと同時に上下にも傾き縦方向にもシーソーのような動きをすることを特徴とする枕。